(57)【要約】      （修正有）【課題】受光素子の出力信号の飽和を抑制することで、受光素子の診断が可能とされた光センサを提供する。【解決手段】受光素子１０と、発光素子２０と、受光素子と発光素子それぞれを制御する制御部３０と、受光素子と発光素子それぞれを搭載する搭載部４０と、該搭載部に固定されることで、搭載部と共に、受光素子と発光素子それぞれが収納される収納空間を構成する蓋部５０と、発光素子の光の一部を受光素子に反射する反射部６０と、を有する。蓋部は、受光素子が受光する光、および、発光素子が発光する光それぞれを透光する材料から成る。制御部は、入射光による受光素子の出力信号の飽和を抑制するべく、受光素子の感度を下げた状態で発光素子を発光させ、反射部にて反射された発光素子の光の一部を受光素子に入射させることで、受光素子の診断を行う。【選択図】図１
2014240820.tif 000002
【特許請求の範囲】
【請求項１】
光を電気信号に変換する受光素子（１０）と、
電気信号を光に変換する発光素子（２０）と、
前記受光素子と前記発光素子それぞれを制御する制御部（３０）と、
前記受光素子と前記発光素子それぞれを搭載する搭載部（４０）と、
該搭載部に固定されることで、前記搭載部と共に、前記受光素子と前記発光素子それぞれが収納される収納空間を構成する蓋部（５０）と、
前記発光素子の光の一部を前記受光素子に反射する反射部（６０）と、を有し、
前記蓋部は、前記受光素子が受光する光、および、前記発光素子が発光する光それぞれを透光する材料から成り、
前記制御部は、入射光による前記受光素子の出力信号の飽和を抑制するべく、前記受光素子の感度を下げた状態で前記発光素子を発光させ、前記反射部にて反射された前記発光素子の光の一部を前記受光素子に入射させることで、前記受光素子の診断を行うことを特徴とする光センサ。
【請求項２】
前記制御部は、
前記発光素子を発光させる発光部（３１）と、
前記受光素子に蓄積された電荷を放電する放電部（３２）と、
該放電部によって前記受光素子に蓄積された電荷が放電されてから所定時間後に前記受光そしに蓄積された電荷に基づく出力信号をサンプリングするサンプリング部（３３）と、を有し、
前記サンプリング部は、前記受光素子の診断時、前記所定時間を短くすることで、前記受光素子の感度を下げることを特徴とする請求項１に記載の光センサ。
【請求項３】
前記制御部は、
前記受光素子の診断時における前記所定時間において、前記受光素子から出力されることが期待される期待値が記憶された記憶部（３４）と、
前記記憶値と前記サンプリング部にてサンプリングした前記受光素子の出力信号とを比較する比較部（３５）と、
該比較部の比較結果に基づいて、前記受光素子の診断を行う診断部（３６）と、を有することを特徴とする請求項２に記載の光センサ。
【請求項４】
前記診断部は、前記比較値に基づいて、前記受光素子の出力信号を補正することを特徴とする請求項３に記載の光センサ。
【請求項５】
前記発光素子として、前記蓋部の外部に光を照射する第１発光素子（２１）と、前記反射部に光を照射することで、前記受光素子に診断用の光を入射する第２発光素子（２２）と、を有することを特徴とする請求項１〜４いずれかに記載の光センサ。
【請求項６】
前記第１発光素子（２１）と前記第２発光素子（２２）それぞれが発光する光に主として含まれる波長帯域は異なっており、
前記第２発光素子（２２）が発光する光に主として含まれる波長帯域は、太陽光に含まれる可視光に主として含まれない波長帯域であることを特徴とする請求項５に記載の光センサ。
【請求項７】
前記蓋部の内面における前記受光素子に対応する部位（５１）は、前記蓋部に入射した光を前記受光素子に集光するべく、前記蓋部の内面における前記発光素子に対応する部位（５２）よりも表面粗さが滑らかであり、
前記蓋部の内面における前記発光素子に対応する部位は、前記発光素子が発光した光の一部を前記蓋部の外部に拡散するべく、前記蓋部の内面における前記受光素子に対応する部位よりも表面粗さが粗いことを特徴とする請求項１〜６いずれか１項に記載の光センサ。
【請求項８】
前記反射部は、前記発光素子から発せられた光を反射する材料から成り、前記蓋部に形成されていることを特徴とする請求項１〜７のいずれか１項に記載の光センサ。
【請求項９】
前記反射部は、前記蓋部の一部であり、前記発光素子の光の一部を前記受光素子に反射するべく、前記発光素子の光の進行方向に対して傾斜し、その表面が鏡面加工されていることを特徴とする請求項１〜７のいずれか１項に記載の光センサ。
【請求項１０】
前記発光素子から出射され、前記反射部にて反射された光が前記受光素子に入射するよう、前記発光素子と前記受光素子の間に前記反射部が位置することを特徴とする請求項１〜９いずれか１項に記載の光センサ。
【発明の詳細な説明】
【技術分野】
【０００１】
本発明は、受光素子と、発光素子と、受光素子と発光素子それぞれを制御する制御部と、受光素子と発光素子それぞれを搭載する搭載部と、搭載部と共に、受光素子と発光素子が収納される収納空間を構成する蓋部と、を有する光センサに関するものである。
【背景技術】
【０００２】
従来、例えば特許文献１に示されるように、被測定光の照度レベルを測定する測光装置が提案されている。この測光装置は、被測定光を電気信号に変換する光センサと、光センサに光を照射する補正用照明手段と、を有する。また測光装置は、補正時において、補正用照明手段を複数の照度レベルで順次点灯させることで、実際のセンサ出力レベルを検出する演算制御手段も有する。演算制御手段は、各照度レベルで実際に検出したセンサ出力レベルと、各照度レベルで期待されるセンサ出力レベルとの差分に基づいて、各照度レベルにおける光センサの補正値を求める。
【先行技術文献】
【特許文献】
【０００３】
【特許文献１】特開２００５−１５６２４２号公報
【発明の概要】
【発明が解決しようとする課題】
【０００４】
上記したように、特許文献１に記載された測光装置では、補正時において、補正用照明手段を複数の照度レベルで順次点灯させることで、実際のセンサ出力レベルを検出している。しかしながら光センサには、補正用正面手段から照射された光の他に、被測定用光が入射される。したがって、被測定用光の照度レベルが強い場合、受光素子の出力信号が飽和状態になる虞がある。このように受光素子の出力信号が飽和状態になると、補正用照明手段を複数の照度レベルで順次点灯させたとしても、各照度レベルで検出されるセンサ出力レベルが同一となる。そのため、各照度レベルで実際に検出したセンサ出力レベルと、各照度レベルで期待されるセンサ出力レベルとの差分に基づいて、各照度レベルにおける補正値を求めることができなくなる虞がある。更に言えば、センサ出力レベルに基づいて光センサ（受光素子）を診断することすらできなくなる虞がある。
【０００５】
そこで本発明は上記問題点に鑑み、受光素子の出力信号の飽和を抑制することで、受光素子の診断が可能とされた光センサを提供することを目的とする。
【課題を解決するための手段】
【０００６】
上記した目的を達成するために、本発明は、光を電気信号に変換する受光素子（１０）と、電気信号を光に変換する発光素子（２０）と、受光素子と発光素子それぞれを制御する制御部（３０）と、受光素子と発光素子それぞれを搭載する搭載部（４０）と、該搭載部に固定されることで、搭載部と共に、受光素子と発光素子それぞれが収納される収納空間を構成する蓋部（５０）と、発光素子の光の一部を受光素子に反射する反射部（６０）と、を有し、蓋部は、受光素子が受光する光、および、発光素子が発光する光それぞれを透光する材料から成り、制御部は、入射光による受光素子の出力信号の飽和を抑制するべく、受光素子の感度を下げた状態で発光素子を発光させ、反射部にて反射された発光素子の光の一部を受光素子に入射させることで、受光素子の診断を行うことを特徴とする。
【０００７】
これによれば、単に、発光素子から受光素子に光を入射させ、受光素子を診断する構成とは異なり、入射光による受光素子（１０）の出力信号の飽和が抑制される。そのため、受光素子（１０）の診断を行うことができる。
【図面の簡単な説明】
【０００８】
【図１】第１実施形態に係る光センサの概略構成を示す断面図である。
【図２】光センサの概略構成を示すブロック図である。
【図３】処理部の処理を説明するためのタイミングチャートである。
【図４】太陽光に含まれる光のエネルギーと波長の関係を示すグラフである。
【図５】光センサの変形例を示す断面図である。
【発明を実施するための形態】
【０００９】
以下、本発明を車両に適用した場合の実施形態を図に基づいて説明する。
（第１実施形態）
図１〜図４に基づいて、本実施形態に係る光センサを説明する。以下においては、互いに直交の関係にある３方向を、ｘ方向、ｙ方向、ｚ方向と示す。またｘ方向とｙ方向とによって規定される平面を規定平面と示す。ｘ方向は車両の前後方向（進行・後退方向）、ｙ方向は車両の左右方向に相当する。
【００１０】
図１および図２に示すように、光センサ１００は、受光素子１０と、発光素子２０と、制御部３０と、搭載部４０と、蓋部５０と、反射部６０と、を有する。素子１０，２０、制御部３０、および、反射部６０それぞれは、搭載部４０と蓋部５０とによって構成される収納空間内に収納されており、蓋部５０を介して収納空間内に入射した光は、受光素子１０にて受光される。また、発光素子２０から出射された光の一部は蓋部５０を介して外部に出射され、残りの光は反射部６０を介して受光素子１０に入射される。
【００１１】
光センサ１００は、日射センサとしての機能と、セキュリティインジケータとしての機能を果たすものである。光センサ１００は、受光素子１０の出力信号を解析することで太陽の位置などを算出し、発光素子２０を点灯駆動することで警告をユーザーに掲示する。本実施形態に係る光センサ１００では、制御部３０が太陽の位置などの算出とユーザーへの警告の提示を行う。
【００１２】
受光素子１０は光を電気信号に変換するものであり、具体的に言えばＰＤである。受光素子１０における搭載部４０に搭載される面の裏面が受光面１０ａとなっており、受光面１０ａは規定平面に沿っている。受光面１０ａには、蓋部５０に入射した後、蓋部５０にて集光された光が入射される。また受光面１０ａには、反射部６０にて反射された発光素子２０の光の一部も入射される。
【００１３】
発光素子２０は電気信号を光に変換するものであり、具体的に言えばＬＥＤである。発光素子２０における搭載部４０に搭載される面の裏面が発光面２０ａとなっており、発光面２０ａは規定平面に沿っている。発光素子２０から出射される光の一部は蓋部５０を介して外部に出射され、残りの光は反射部６０にて受光素子１０へ反射される。本実施形態では、発光素子２０として、蓋部５０の外部に光を照射する第１発光素子２１と、反射部６０に光を照射することで、受光素子１０に診断用の光を入射する第２発光素子２２と、を有し、それぞれの発光面２１ａ，２２ａから搭載部４０から遠ざかる方向に光が出射される。発光素子２１，２２それぞれが発光する光に主として含まれる波長帯域は異なっており、第１発光素子２１が発光する光に主として含まれる波長帯域は、ユーザーや周囲の人間に注意喚起を示す赤色の波長帯域である。これに対して、第２発光素子２２が発光する光に主として含まれる波長帯域は、太陽光の可視光にあまり含まれない波長帯域である。図４に示すように、可視光には紫外線近くの波長帯域の光があまり含まれていない。そのため、第２発光素子２２からは紫色や青色の波長帯域の光が出射される。
【００１４】
制御部３０は、入射光による受光素子１０の出力信号の飽和を抑制するべく、受光素子１０の感度を下げる。そして制御部３０は、受光素子１０の感度が下がった状態で発光素子２０を発光させ、反射部６０にて反射された発光素子２０の光の一部（第２発光素子２２の光）を受光素子１０に入射させる。こうすることで制御部３０は、発光素子２０から発せられた光に依存する受光素子１０の出力信号を検出し、受光素子１０の診断を行う。
【００１５】
図２に示すように、制御部３０は、発光部３１と、放電部３２と、サンプリング部３３と、記憶部３４と、比較部３５と、診断部３６と、を有する。発光部３１は発光素子２０に電流を流すことで発光素子２０を発光させる。放電部３２は、受光素子１０に蓄積された電荷を充放電する。図２に示すように電源からグランドに向かって、リセットスイッチ３２ａ、抵抗１１、受光素子１０が順に直列接続されている。放電部３２はリセットスイッチ３２ａの駆動（接続）を制御することで、受光素子１０に蓄積された電荷を充放電する。図３に示すように放電部３２はクリア周期Ｔ１にてリセットスイッチ３２ａを駆動させる。こうすることで受光素子１０に蓄積された電荷をクリア周期Ｔ１で放電し、そのクリア周期Ｔ１からパルス幅τ１を除いた時間の間、受光素子１０に電荷を蓄積させる。
【００１６】
サンプリング部３３は、クリア周期Ｔ１よりも時間の短いサンプリング周期Ｔ２の間に受光素子１０に蓄積された電荷に基づく出力信号をサンプリングする。具体的に言えば、隣接する２つのパルスそれぞれの立下りエッジ時の電圧Ｖ１，Ｖ２を検出し、この２つの電圧差Ｖ２−Ｖ１を検出信号としてサンプリングする。サンプリング部３３は、受光素子１０の診断時、上記したサンプリング時間Ｔ２を短くする。こうすることで受光素子１０の感度を下げ、入射光による受光素子１０の出力信号の飽和を抑制する。なお、上記したサンプリング周期Ｔ２が、特許請求の範囲に記載の所定時間に相当する。
【００１７】
記憶部３４は、受光素子１０の診断時において受光素子１０から出力されることが期待される期待値を記憶している。比較部３５は、記憶値とサンプリング部３３にてサンプリングされた受光素子１０の出力信号（検査値）とを比較する。診断部３６は、比較部３５の比較結果に基づいて受光素子１０の診断を行う。なお診断部３６は、比較値に基づいて受光素子１０の出力信号を補正する。また診断部３６は、補正した受光素子１０の出力信号を解析することで太陽の位置などを算出しつつ、発光素子２０を点灯駆動することで警告をユーザーに掲示する。
【００１８】
光センサ１００の起動時、発光部３１は発光素子２０から光を出射しない。そのため、受光素子１０には蓋部５０を介して収納空間に入射した外部の光が入射される。サンプリング部３３は、外部の光とサンプリング周期Ｔ２とに基づいた受光素子１０の出力信号を初期値としてサンプリングする。このサンプリングした初期値は比較部３５によって記憶部３４に記憶される。次いで放電部３２によって一度受光素子２０に蓄積された電荷が放電された後、発光素子２０から光が出射される。受光素子１０には発光素子２０の光と外部の光が入射され、サンプリング部３３は、発光素子２０の光と外部の光とサンプリング周期Ｔ２とに基づいた受光素子１０の出力信号を検査値としてサンプリングする。このサンプリングした検査値が比較部３５によって記憶部３４に記憶される。比較部３５は、記憶部３４から初期値と検査値を読み出し、検査値から初期値を減算した値を算出する。そして比較部３５は、算出した値と発光素子２０から光が出射された際に受光素子１０から出力されることが期待される出力信号の期待値とを比較する。最後に診断部３６は、比較部３５の比較結果に応じた補正値を算出し、その補正値でもって受光素子１０の出力特性を補正する。なお上記したように受光素子１０の診断時、サンプリング周期Ｔ２は短くなる。そのため上記した検査値も小さくなる。また図２では、制御部３０の要素をブロックにて分けて記しているが、サンプリング部３３と記憶部３４を除いたほかの構成要素は、主としてマイコンに含まれる要素である。
【００１９】
搭載部４０は、素子１０，２０および制御部３０を搭載するものである。搭載部４０は絶縁性の樹脂から成り、図示しないが、リードがインサート成形されている。そのリードの一端は収納空間内に設けられ、その他端は外部に露出されている。より詳しく言えば、リードの一端は搭載部４０における素子１０，２０および制御部３０を搭載する搭載面３０ａ上に設けられ、リードの他端は車両に設けられたソケット（図示略）に挿入されている。リードを介して、素子１０，２０および制御部３０それぞれが車両と電気的に接続される。
【００２０】
蓋部５０は、搭載部４０と共に収納空間を構成するものである。蓋部５０の外面はドーム形状を成し、その縁部が搭載部４０に固定される。これにより搭載部４０と蓋部５０とによって収納空間が構成される。
【００２１】
蓋部５０は、受光素子１０が受光する光、および、発光素子２０が発光する光それぞれを透光する材料から成る。蓋部５０の内面における受光素子１０に対応する部位（以下、第１部位５１と示す）は、蓋部５０に入射した光を受光素子１０に集光するべく曲面形状を成している。具体的に言えば、第１部位５１は、受光素子１０から蓋部５０に向かう方向に凹んだ曲面形状を成し、球体の表面形状を成している。また、蓋部５０の内面における発光素子２０に対応する部位（以下、第２部位５２と示す）は、発光素子２０（第１発光素子２１）が発光した光を蓋部５０の外部に出射するべく曲面形状を成している。具体的に言えば、第２部位５２は、発光素子２０から蓋部５０に向かう方向に凹んだ曲面形状を成し、扁球の表面形状を成している。
【００２２】
本実施形態では、図１に示すように第１部位５１と第２部位５２それぞれが独立した曲面を成しｘ方向に並んでいる。光センサ１００は、車両の進行方向側に第１部位５１が位置し、車両の後退方向側に第２部位５２が位置するように、車両に搭載される。このように光センサ１００が車両に搭載されることで、車両前方から車内に入射する太陽光が受光素子１０に入射される。
【００２３】
また本実施形態では、蓋部５０に入射した光を受光素子１０に集光し、発光素子２０（第１発光素子２１）が発光した光を蓋部５０の外部に拡散するために、第１部位５１と第２部位５２それぞれの表面粗さに差を設けている。すなわち、第１部位５１は、第２部位５２よりも表面粗さが滑らかに加工され、第２部位５２は、第１部位よりも表面粗さが粗く加工されている。
【００２４】
反射部６０は、発光素子２０の光の一部（第２発光素子２２の光）を受光素子１０に反射するものである。反射部６０は、発光素子２０から出射され、反射部６０にて反射された光が受光素子１０に入射するよう、発光素子２０と受光素子１０の間に位置している。反射部６０は、発光素子２０から発せられた光を反射する材料から成り、蓋部５０に形成されている。具体的に言えば、反射部６０は金属材料から成るフィルムであり、その反射面６０ａは発光素子２０の発光面２０ａに直交するｚ方向に対して斜めになっている。反射面６０ａの傾斜は、発光素子２０から出射され、反射面６０ａにて反射された光が受光素子１０の受光面１０ａに向かうように決定されている。
【００２５】
次に、本実施形態に係る光センサ１００の作用効果を説明する。上記したように制御部３０は、入射光による受光素子１０の出力信号の飽和を抑制するべく、受光素子１０の感度を下げた状態で発光素子２０を発光させ、反射部６０にて反射された発光素子２０の光の一部（第２発光素子２２の光）を受光素子１０に入射させることで、受光素子１０の診断を行う。これによれば、単に、発光素子から受光素子に光を入射させ、受光素子を診断する構成とは異なり、入射光による受光素子１０の出力信号の飽和が抑制される。そのため、受光素子１０の診断を行うことができる。また、受光素子１０の出力信号を補正することができる。
【００２６】
発光素子２０として、蓋部５０の外部に光を照射する第１発光素子２１と、反射部６０に光を照射することで、受光素子１０に診断用の光を入射する第２発光素子２２と、を有する。これによれば、セキュリティインジケータに適した光と、診断に適した光とを選択することができる。すなわち、本実施形態で示したように、ユーザーや周囲の人間に注意喚起を示す赤色の光や、太陽光に含まれる可視光に主として含まれない波長帯域の光を選択することができる。
【００２７】
蓋部５０に、受光素子１０に対応する曲面である第１部位５１と、発光素子２０に対応する曲面である第２部位５２とが形成され、蓋部５０に入射した光が受光素子１０に入射し、発光素子２０の発光した光が蓋部５０の外部に出射される。これによれば、蓋部５０に入射した光を受光素子１０に集光し、発光素子２０が発光した光を蓋部５０の外部に出射するために、蓋部が２つの異なる材料から形成される構成と比べて、形成材料の種類の増大が抑制され、製造コストの増大が抑制される。
【００２８】
蓋部５０に入射した光を受光素子１０に集光し、発光素子２０が発光した光を蓋部５０の外部に拡散するために、第１部位５１は、第２部位５２よりも表面粗さが滑らかであり、第２部位５２は、第１部位よりも表面粗さが粗くなっている。これによれば、第１部位が、第２部位よりも表面粗さが粗い構成と比べて、蓋部５０に入射した光を受光素子１０に集光することができる。また、第２部位が、第１部位よりも表面粗さが滑らかな構成と比べて、発光素子２０が発光した光を蓋部５０の外部に拡散することができる。この結果、受光素子１０の受光範囲が拡大されるとともに、発光素子２０の発光領域が拡大される。
【００２９】
第１部位５１と第２部位５２とが連なって一つの曲面を成している。これによれば、第１部位と第２部位それぞれが独立した曲面を成す構成と比べて、蓋部５０の体格の増大が抑制される。この結果、光センサ１００の体格の増大が抑制される。
【００３０】
以上、本発明の好ましい実施形態について説明したが、本発明は上記した実施形態になんら制限されることなく、本発明の主旨を逸脱しない範囲において、種々変形して実施することが可能である。
【００３１】
本実施形態では、光センサ１００の制御部３０が、太陽の位置などの算出と、ユーザーへの警告の提示を行う例を示した。しかしながら、制御部３０ではなく外部装置が、受光素子１０の出力信号に基づいて、太陽の位置などを算出しても良いし、ユーザーへの警告の提示するための指示信号を制御部３０に入力しても良い。
【００３２】
本実施形態では、発光素子２０として、第１発光素子２１と、第２発光素子２２と、を有する例を示した。しかしながら図５に示すように、光センサ１００が１つの発光素子２０を有し、発光素子２０から出射される光の一部が蓋部５０を介して外部に出射され、残りの光が反射部６０にて受光素子１０へ反射される構成を採用することもできる。
【００３３】
本実施形態では、発光素子２１，２２それぞれの発光面２０ａからｚ方向に光が出射される例を示した。しかしながら、光の出射方向は上記例に限定されず、光センサ１００の設定に応じて変更することができる。
【００３４】
本実施形態では、発光素子２１，２２それぞれが発光する光に主として含まれる波長帯域が異なる例を示した。しかしながら、発光素子２１，２２それぞれが発光する光に波長帯域の一部が同一でも良いし、波長帯域の全てが同一でも良い。
【００３５】
本実施形態では、診断部３６が、受光素子１０の出力信号を補正する例を示した。しかしながら、診断部３６は、受光素子１０の出力信号を診断するだけで、補正しなくとも良い。
【００３６】
第１部位５１は、受光素子１０から蓋部５０に向かう方向に凹んだ曲面形状を成し、球体の表面形状を成している例を示した。しかしながら、第１部位５１の曲面形状としては上記例に限定されず、蓋部５０に入射した光を受光素子１０に集光する形状であれば適宜採用することができる。
【００３７】
第２部位５２は、発光素子２０から蓋部５０に向かう方向に凹んだ曲面形状を成し、扁球の表面形状を成している例を示した。しかしながら、第２部位５２の曲面形状としては上記例に限定されず、発光素子２０が発光した光を蓋部５０の外部に出射する形状であれば適宜採用することができる。
【００３８】
本実施形態では、第１部位５１と第２部位５２それぞれが独立した曲面を成している例を示した。しかしながら、第１部位５１と第２部位５２とが連なって一つの曲面を成す構成を採用することもできる。
【００３９】
本実施形態では、進行方向側に第１部位５１が位置し、後退方向側に第２部位５２が位置するように、光センサ１００が車両に搭載される例を示した。しかしながら、光センサ１００の車両への搭載としては、上記例に限定されない。例えば、後退方向側に第２部位５２が位置し、進行方向側に第１部位５１が位置するように、光センサ１００を車両に搭載してもよい。このように光センサ１００が車両に搭載されることで、車両後方から車内に入射する太陽光が受光素子１０に入射される。
【００４０】
本実施形態では、第１部位５１は、第２部位５２よりも表面粗さが滑らかに加工され、第２部位５２は、第１部位よりも表面粗さが粗く加工されている例を示した。しかしながら、第１部位５１と第２部位５２それぞれの表面粗さを特に加工しなくとも良い。
【００４１】
本実施形態では、反射部６０は、発光素子２０から発せられた光を反射する材料から成る例を示した。しかしながら、反射部６０が、蓋部５０と同一材料から成り、蓋部５０の一部であっても良い。ただしこの場合、反射部６０は、発光素子２０の光の一部を受光素子１０に反射するべく、発光素子２０の光の進行方向に対して傾斜し、その表面が鏡面加工される。これによれば、部品点数の増大が抑制される。
【符号の説明】
【００４２】
１０・・・受光素子
２０・・・発光素子
３０・・・制御部
４０・・・搭載部
５０・・・蓋部
６０・・・反射部
１００・・・光センサ
【図１】
2014240820.tif 000003
【図２】
2014240820.tif 000004
【図３】
2014240820.tif 000005
【図４】
2014240820.tif 000006
【図５】
2014240820.tif 000007